(57)【要約】      （修正有）【課題】無線方式により制御するインテリジェント型水バルブを提供する。【解決手段】インテリジェント型水バルブ１は、制御装置２、弁体３及びソーラーパネル４を備える。制御装置２は、無線信号送受信装置２１及びデータプロセッサー２２を有する。弁体３は、制御装置２の一側に配設される。ソーラーパネル４は、制御装置２の上方に配設される。制御装置２により弁体３の出水量の制御及び記録を行い、制御装置２の無線信号送受信装置２１により外部の制御信号を受信し、弁体３の出水量の記録を外部へ送信して監視する。制御装置２は、給電部材２３を有する。制御装置２は、無線信号送受信装置２１を介して少なくとも１つの湿度センサと通信する。弁体３は、流出口３１、流入口３２及びストッパ３３を有する。制御装置２の上方に配設されたソーラーパネル４は、サポート４１を介して制御装置２と接続される。【選択図】図２
0003219958.tif 000002
【実用新案登録請求の範囲】
【請求項１】
制御装置、弁体及びソーラーパネルを備えたインテリジェント型水バルブであって、  
前記制御装置は、無線信号送受信装置及びデータプロセッサーを有し、
前記弁体は、前記制御装置の一側に配設され、
前記ソーラーパネルは、前記制御装置の上方に配設され、
前記制御装置により前記弁体の出水量の制御及び記録を行い、前記制御装置の前記無線信号送受信装置により外部の制御信号を受信し、前記弁体の出水量の記録を外部へ送信して監視することを特徴とする、インテリジェント型水バルブ。
【請求項２】
前記制御装置は、給電部材を有することを特徴とする請求項１に記載のインテリジェント型水バルブ。
【請求項３】
前記制御装置は、前記無線信号送受信装置を介して少なくとも１つの湿度センサと通信することを特徴とする請求項１に記載のインテリジェント型水バルブ。
【請求項４】
前記弁体は、流出口、流入口及びストッパを有することを特徴とする請求項１に記載のインテリジェント型水バルブ。
【請求項５】
前記制御装置の上方に配設された前記ソーラーパネルは、サポートを介して前記制御装置と接続されることを特徴とする請求項１に記載のインテリジェント型水バルブ。
【考案の詳細な説明】
【技術分野】
【０００１】
本考案は、インテリジェント型水バルブに関し、特に、無線方式により制御するインテリジェント型水バルブに関する。
【背景技術】
【０００２】
水バルブは、出水量を制御して特定のニーズを満たすことができるため、応用範囲が非常に広かった。大部分の水バルブは、手動方式により調整する他、遠隔スイッチにより水バルブを調整することもできるが、手動方式又は遠隔スイッチにより水バルブを調整する場合であっても、所定時間内の出水量を正確に知ることができず、出水時間を制御することしかできなかった。特に、農業又は栽培の用途に応用する場合、目視又は経験に基づき水バルブにより供給される出水量を判断していたが、水の供給量は農業又は栽培に大きな影響を与えるため、水バルブにより水量を正確に調整することができず、ユーザにとって不便であった。
【０００３】
そこで、本考案者は、上記課題を解決するための鋭意検討を重ねた結果、本考案に想到するに至った。
【考案の概要】
【考案が解決しようとする課題】
【０００４】
本考案の主な目的は、制御装置、弁体及びソーラーパネルにより構成され、制御装置により弁体の出水量の制御及び記録を行い、制御装置の無線信号送受信装置により外部の制御信号を受信し、弁体の出水量の記録を外部へ送信して監視するインテリジェント型水バルブを提供することにある。
【図面の簡単な説明】
【０００５】
【図１】図１は、本考案の一実施形態に係るインテリジェント型水バルブを示す斜視図。
【図２】図２は、本考案の一実施形態に係るインテリジェント型水バルブを示す側面図。
【図３】図３は、本考案の一実施形態に係るインテリジェント型水バルブを示す説明図（１）。
【図４】図４は、本考案の一実施形態に係るインテリジェント型水バルブを示す説明図（２）。
【図５】図５は、本考案の一実施形態に係るインテリジェント型水バルブを示す説明図（３）。
【考案を実施するための形態】
【０００６】
図１〜図５を参照する。図１〜図５に示すように、本考案の一実施形態に係るインテリジェント型水バルブ１は、少なくとも制御装置２、弁体３及びソーラーパネル４から構成されてなる。
【０００７】
制御装置２は、無線信号送受信装置２１、データプロセッサー２２及び給電部材２３を有する。
【０００８】
弁体３は、制御装置２の一側に配設される。
【０００９】
ソーラーパネル４は、制御装置２の上方に配設される。
【００１０】
弁体３は、流出口３１、流入口３２及びストッパ３３を有する。
【００１１】
制御装置２の上方に配設されたソーラーパネル４は、サポート４１を介して制御装置２と接続される。
【００１２】
図３を参照する。図３に示すように、インテリジェント型水バルブ１を実際に使用する際、弁体３の流出口３１及び流入口３２に送水用の管体が接続され、制御装置２により流出口３１と流入口３２との間のストッパ３３を制御し、弁体３の出水量を調整する。弁体３の出水量、出水時間などの数値データは、データプロセッサー２２により記録して記憶することができる。
【００１３】
制御装置２は、データプロセッサー２２に予め記憶した制御データに基づき、弁体３の出水量を制御する。例えば図４に示すように、データプロセッサー２２に記憶した制御データを、ユーザがスマート型手持ち式装置５により制御装置２の無線信号送受信装置２１と無線方式で通信した後、データプロセッサー２２へ送信する。また、スマート型手持ち式装置５は、データプロセッサー２２が記録した弁体３の出水量、出水時間などの数値データを記録し、インテリジェント型水バルブ１を監視する。
【００１４】
一般に湿度が異なる環境には必要な水量も異なる。そのため、インテリジェント型水バルブ１には、少なくとも１つの湿度センサ６が接続され、図５に示すように、制御装置２が弁体３の出水を制御する際、湿度センサ６が感知した湿度数値を参考にし、湿度に応じた水量が出水されるように弁体３を制御する。湿度と排水量との対応は、スマート型手持ち式装置５により送信する制御データにより設定してもよい。つまり湿度、出水量及び時間を設定制御データの条件パラメータとして用いてもよい。制御装置２は、湿度センサ６が測定した湿度数値を受信すると、この湿度数値に基づいて弁体３の出水量及び出水時間を制御する。
【００１５】
また、制御装置２は、湿度センサ６が得た湿度数値を受信すると、データプロセッサー２２内に記憶するとともに、スマート型手持ち式装置５とインテリジェント型水バルブ１とが接続された後、湿度センサ６により測定した湿度の履歴記録データを得る。スマート型手持ち式装置５は、制御装置２により得た出水量、出水時間、湿度などの情報により、クラウドデータベースへアップロードする。そのため、インテリジェント型水バルブ１の全ての履歴を記録し、最適な制御データを調整して得られる。
【００１６】
また、制御装置２には、必要な電力を供給する給電部材２３が配設されているが、性能及び使用時間を向上させるために、制御装置２の上方にソーラーパネル４を配置し、そのソーラーパネル４が吸収した光により給電部材２３を充電してもよい。制御装置２の上方に配設されたソーラーパネル４は、サポート４１を介して制御装置２と接続され、光を効率よく吸収することができるように、サポート４１によりソーラーパネル４の角度を調整してもよい。
【００１７】
本考案の応用範囲は非常に広く、特に、農業又は栽培の用途に応用する際、大部分の農地又は栽培地の面積が非常に広いため、ユーザはスマート型手持ち式装置５により無線方式を利用し、スピーディーかつ正確に複数のインテリジェント型水バルブ１を同時に制御することができる。また、湿度センサ６が感知した土壌の湿度データを送信すると、インテリジェント型水バルブ１は、出水量を土壌湿度に応じた適切な量に調整して灌漑を行い、農作物を育てることができる。
【００１８】
上述したことから分かるように、従来技術の水バルブには様々な問題点があった。しかし、本考案のインテリジェント型水バルブ１は、制御装置２を介して弁体３の出水量を正確に監視するとともに、スマート型手持ち式装置５を使用し、無線方式によりリアルタイムで制御データを送信し、インテリジェント型水バルブ１を随時監視することができる。また、湿度センサ６と通信することにより、環境の変化に応じて出水量を適宜調整することもできる。このように、本考案のインテリジェント型水バルブ１は、従来技術のように手動による面倒な手間を無くすことができる上、必要な出水量を正確に把握して制御することができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１  インテリジェント型水バルブ
２  制御装置
３  弁体
４  ソーラーパネル
５  スマート型手持ち式装置
６  湿度センサ
２１  無線信号送受信装置
２２  データプロセッサー
２３  給電部材
３１  流出口
３２  流入口
３３  ストッパ
４１  サポート
【図１】
0003219958.tif 000003
【図２】
0003219958.tif 000004
【図３】
0003219958.tif 000005
【図４】
0003219958.tif 000006
【図５】
0003219958.tif 000007